(57)【要約】【課題】  紙葉類を容易に、且つ、正確に処理することができる紙葉類処理システム、紙葉類処理装置、仕切りカード、及び紙葉類処理方法を提供する。【解決手段】  仕切カード４１の表面と裏面とに異なる表裏識別情報を付与し、両面に同一のカード識別情報を付与する。紙葉類処理装置１に、作業単位毎に集積された紙葉類と前記集積された紙葉類上に配置された前記仕切カード４１とを有する１バッチ分の被処理媒体Ｐを複数バッチ重ねて一組の処理単位として投入する。投入された前記被処理媒体Ｐを、前記紙葉類処理装置１により、１枚ずつ取り込む。取り込んだ前記紙葉類を計数しつつ集積する。前記仕切カード４１を取り込むと、仕切カード４１に付与されている表裏識別情報とカード識別情報とを検知する。検知した前記仕切カード４１の表裏識別情報とカード識別情報と計数した前記紙葉類の計数情報とを対応付けて集計装置２へ送信する。前記集計装置２により、受信したデータを記憶する。【選択図】      図１
2008250955.tif 000002
【特許請求の範囲】
【請求項１】
紙葉類処理装置と集計装置とを具備する紙葉類処理システムであって、
表面と裏面とに異なる表裏識別情報が付与され両面に同一のカード識別情報が付与された仕切カードを具備し、
前記紙葉類処理装置は、
作業単位毎に集積された紙葉類と前記集積された紙葉類上に配置された前記仕切カードとを有する１バッチ分の被処理媒体が複数バッチ重ねられて一組の処理単位として投入される投入部と、
前記投入部に投入された前記被処理媒体を１枚ずつ取り込む取込手段と、
前記取込手段により取り込んだ紙葉類を計数する計数手段と、
前記取込手段により取り込んだ前記仕切カードの表裏識別情報とカード識別情報とを検知するカード検知手段と、
前記取込手段により取り込んだ前記被処理媒体のうち紙葉類を集積する集積手段と、
前記カード検知手段により検知した前記仕切カードの表裏識別情報とカード識別情報と前記計数手段により計数した前記紙葉類の計数情報とをバッチ毎に対応付けて前記集計装置へ送信する送信手段と、を具備し、
前記集計装置は、
前記紙葉類処理装置からデータを受信する受信手段と、
前記受信手段により受信した表裏識別情報とカード識別情報と集積した前記紙葉類の計数情報とを対応付けて記憶する記憶手段と、
を具備する紙葉類処理システム。
【請求項２】
前記送信手段は、前記仕切カードの表面側に集積されている紙葉類の計数情報と検知した前記仕切カードの表面の表裏識別情報とカード識別情報とをバッチ毎に対応付け、前記仕切カードの裏面側に集積されている紙葉類の計数情報と検知した前記仕切カードの裏面の表裏識別情報とカード識別情報とをバッチ毎に対応付けて前記集計装置へ送信する手段を具備する請求項１に記載の紙葉類処理システム。
【請求項３】
前記紙葉類処理装置は、
前記取込手段により取り込んだ紙葉類が再使用可能な紙葉類か否かを判定する判定手段と、
前記判定手段により再使用不可能であると判定した紙葉類と前記仕切カードとを装置外部から取り出し可能な状態で排除する排除手段と、
をさらに具備する請求項１に記載の紙葉類処理システム。
【請求項４】
前記集計装置は、カード識別情報毎に前記記憶手段により記憶した紙葉類の計数情報を集計する集計手段をさらに具備する請求項１に記載の紙葉類処理システム。
【請求項５】
前記集計手段は、一致するカード識別情報に対応付けられている複数の計数情報を集計する際、一致する表裏識別情報が付与されている計数情報同士で集計する手段を具備する請求項４に記載の紙葉類処理システム。
【請求項６】
前記集計装置は、予め複数のカード識別情報とアカウント情報とを対応付け、アカウント情報毎に前記記憶手段により記憶した紙葉類の計数情報を集計する集計手段をさらに具備する請求項１に記載の紙葉類処理システム。
【請求項７】
複数枚の紙葉類の仕切に用いる仕切カードであって、
表面と裏面とに異なる表裏識別情報が付与され両面に同一のカード識別情報が付与された仕切カード。
【請求項８】
紙葉類の計数情報を集計装置に送信する紙葉類処理装置であって、
作業単位毎に集積された紙葉類と前記集積された紙葉類上に配置された仕切カードとを有する１バッチ分の被処理媒体が複数バッチ重ねられて一組の処理単位として投入される投入部と、
前記投入部に投入された前記被処理媒体を１枚ずつ取り込む取込手段と、
前記取込手段により取り込んだ紙葉類を計数する計数手段と、
前記取込手段により取り込んだ前記仕切カードに付与されている表面と裏面とで異なる表裏識別情報と両面で同一のカード識別情報とを検知するカード検知手段と、
前記取込手段により取り込んだ前記被処理媒体のうち紙葉類を集積する集積手段と、
前記カード検知手段により検知した前記仕切カードの表裏識別情報とカード識別情報と前記計数手段により計数した前記紙葉類の計数情報とをバッチ毎に対応付けて前記集計装置へ送信する送信手段と、
を具備する紙葉類処理装置。
【請求項９】
前記送信手段は、前記仕切カードの表面側に集積されている紙葉類の計数情報と検知した前記仕切カードの表面の表裏識別情報とカード識別情報とをバッチ毎に対応付け、前記仕切カードの裏面側に集積されている紙葉類の計数情報と検知した前記仕切カードの裏面の表裏識別情報とカード識別情報とをバッチ毎に対応付けて前記集計装置へ送信する手段を具備する請求項８に記載の紙葉類処理装置。
【請求項１０】
前記取込手段により取り込んだ紙葉類が再使用可能な紙葉類か否かを判定する判定手段と、
前記判定手段により再使用不可能であると判定した紙葉類と前記仕切カードとを装置外部から取り出し可能な状態で排除する排除手段と、
をさらに具備する請求項８に記載の紙葉類処理装置。
【請求項１１】
作業単位毎に集積された紙葉類と前記集積された紙葉類上に配置された仕切カードとを有する１バッチ分の被処理媒体が複数バッチ重ねられて一組の処理単位として投入し、
前記投入された前記被処理媒体を１枚ずつ取り込み、
前記取り込んだ紙葉類を計数し、
前記取り込んだ前記仕切カードの表裏識別情報とカード識別情報とを検知し、
前記取り込んだ前記被処理媒体のうち紙葉類を集積し、
前記検知した前記仕切カードの表裏識別情報とカード識別情報と前記計数した前記紙葉類の計数情報とをバッチ毎に対応付けて記憶する紙葉類処理方法。
【請求項１２】
前記仕切カードの表面側に集積されている紙葉類の計数情報と検知した前記仕切カードの表面の表裏識別情報とカード識別情報とをバッチ毎に対応付け、
前記仕切カードの裏面側に集積されている紙葉類の計数情報と検知した前記仕切カードの裏面の表裏識別情報とカード識別情報とをバッチ毎に対応付けて記憶する請求項１１に記載の紙葉類処理方法。
【請求項１３】
被処理媒体を取り込んだ場合、取り込んだ紙葉類が再使用可能な紙葉類か否かを判定し、
再使用不可能であると判定した紙葉類と前記仕切カードとを排除券として装置外部から取り出し可能な状態で排除し、
前記排除された排除券を投入し、
前記投入された前記排除券を１枚ずつ取り込み、
前記取り込んだ排除券のうちの紙葉類を計数し、
前記取り込んだ排除券のうちの前記仕切カードの表裏識別情報とカード識別情報とを検知し、
前記取り込んだ前記排除券のうちの紙葉類を集積し、
前記検知した前記排除券のうちの仕切カードの表裏識別情報とカード識別情報と前記計数した前記排除券のうちの紙葉類の計数情報とをバッチ毎に対応付けて記憶する請求項１１に記載の紙葉類処理方法。
【請求項１４】
前記記憶した紙葉類の計数情報を同一のカード識別情報に対応付けられた計数情報について集計する請求項１３に記載の紙葉類処理方法。
【請求項１５】
予め複数の仕切カードのカード識別情報とアカウント情報とを対応付け、
前記記憶した紙葉類の計数情報を同一のアカウント情報に対応付けられたカード識別情報に対応付けられている計数情報について集計する請求項１１に記載の紙葉類処理方法。
【請求項１６】
同一のカード識別情報に対応付けられた計数情報について集計する場合、同一の表裏識別情報に対応付けられた計数情報同士で集計する請求項１４又は１５に記載の紙葉類処理方法。
【発明の詳細な説明】
【技術分野】
【０００１】
本発明は、例えば紙幣等の紙葉類を処理するための紙葉類処理システム、紙葉類処理装置、仕切りカード、及び紙葉類処理方法紙葉類処理装置紙葉類に関する。
【背景技術】
【０００２】
紙葉類処理装置は、投入部にセットされた紙幣などの紙葉類を１枚ずつ取込んで検知部に送る。検知部は、取り込んだ紙幣を検知して券種を判定し、判定結果を集計し、合計金額の情報（計数情報）を得ている。紙葉類処理装置で扱う紙幣は、例えば顧客が銀行口座に入金するための現金である。この現金の計数情報を銀行口座の金額情報に加算することにより入金が行なわれる。
【０００３】
従来、入金毎に計数を行う方法として、１回の入金毎に紙幣を投入部にセットし、口座の情報などを入力し、計数処理を紙葉類処理装置に行わせる方法があった。しかし、この方法では、装置を操作する係員が紙幣をセットする間装置が停止した状態となるため、スループットが低くなる。
【０００４】
そこで、予め、入金する口座のアカウントと対応付けられた識別番号がバーコードとして印刷されたバッチカードを、仕切カードとして複数組の入金紙幣の間に挟んで投入部にセットすることにより、バッチカードを入金の区切りであると認識して入金毎に計数情報を得る紙葉類処理装置が提供されている（例えば、特許文献１参照）。
【特許文献１】特開２００２−３３４３６２号公報
【発明の開示】
【発明が解決しようとする課題】
【０００５】
上記した紙葉類処理装置は、複数枚束ねられて投入された紙幣、或いはバッチカードなどの被処理媒体を取り込んで撮像し、正規の紙幣であるか否か、再使用可能であるか否か、などを鑑査する。この時、被処理媒体を２枚同時に取り込むなどして、鑑査することができない場合がある。この場合、鑑査することができなかった紙幣とバッチカードは排除券として所定の排除集積部へ集積される。初回鑑査が終了した際、排除集積部に集積された排除券とバッチカードを紙葉類処理装置に再度投入して再鑑査を行なうことにより、正確な鑑査を行なっている。
【０００６】
しかし、再鑑査を行なう場合、被処理媒体の投入向きが初回鑑査の際の投入向きに対して逆になる場合がある。この場合、被処理媒体のうちの紙幣の計数情報とバッチカードのカード識別番号とを正確に対応付けられなくなるという問題がある。
【０００７】
また、このようなことを防ぐ為に、初回鑑査が終了した際、排除集積部に集積された排除券を係員が手作業により振り分ける場合もある。しかし、この場合、係員に大きな負担がかかるという問題がある。
【０００８】
そこで、本発明の目的は、紙葉類を容易に、且つ、正確に処理することができる紙葉類処理システム、紙葉類処理装置、仕切りカード、及び紙葉類処理方法を提供することにある。
【課題を解決するための手段】
【０００９】
本発明の一実施形態に係る紙葉類処理システムは、紙葉類処理装置と集計装置とを具備する紙葉類処理システムであって、表面と裏面とに異なる表裏識別情報が付与され両面に同一のカード識別情報が付与された仕切カードを具備し、前記紙葉類処理装置は、作業単位毎に集積された紙葉類と前記集積された紙葉類上に配置された前記仕切カードとを有する１バッチ分の被処理媒体が複数バッチ重ねられて一組の処理単位として投入される投入部と、前記投入部に投入された前記被処理媒体を１枚ずつ取り込む取込手段と、前記取込手段により取り込んだ紙葉類を計数する計数手段と、前記取込手段により取り込んだ前記仕切カードの表裏識別情報とカード識別情報とを検知するカード検知手段と、前記取込手段により取り込んだ前記被処理媒体のうち紙葉類を集積する集積手段と、前記カード検知手段により検知した前記仕切カードの表裏識別情報とカード識別情報と前記計数手段により計数した前記紙葉類の計数情報とをバッチ毎に対応付けて前記集計装置へ送信する送信手段とを具備し、前記集計装置は、前記紙葉類処理装置からデータを受信する受信手段と、前記受信手段により受信した表裏識別情報とカード識別情報と集積した前記紙葉類の計数情報とを対応付けて記憶する記憶手段とを具備する。
【００１０】
また、本発明の一実施形態に係る仕切カードは、複数枚の紙葉類の仕切に用いる仕切カードであって、表面と裏面とに異なる表裏識別情報が付与され両面に同一のカード識別情報が付与されている。
【００１１】
また、本発明の一実施形態に係る紙葉類処理装置は、紙葉類の計数情報を集計装置に送信する紙葉類処理装置であって、作業単位毎に集積された紙葉類と前記集積された紙葉類上に配置された仕切カードとを有する１バッチ分の被処理媒体が複数バッチ重ねられて一組の処理単位として投入される投入部と、前記投入部に投入された前記被処理媒体を１枚ずつ取り込む取込手段と、前記取込手段により取り込んだ紙葉類を計数する計数手段と、前記取込手段により取り込んだ前記仕切カードに付与されている表面と裏面とで異なる表裏識別情報と両面で同一のカード識別情報とを検知するカード検知手段と、前記取込手段により取り込んだ前記被処理媒体のうち紙葉類を集積する集積手段と、前記カード検知手段により検知した前記仕切カードの表裏識別情報とカード識別情報と前記計数手段により計数した前記紙葉類の計数情報とをバッチ毎に対応付けて前記集計装置へ送信する送信手段とを具備する。
【００１２】
また、本発明の一実施形態に係る紙葉類処理方法は、作業単位毎に集積された紙葉類と前記集積された紙葉類上に配置された仕切カードとを有する１バッチ分の被処理媒体が複数バッチ重ねられて一組の処理単位として投入し、前記投入された前記被処理媒体を１枚ずつ取り込み、前記取り込んだ紙葉類を計数し、前記取り込んだ前記仕切カードの表裏識別情報とカード識別情報とを検知し、前記取り込んだ前記被処理媒体のうち紙葉類を集積し、前記検知した前記仕切カードの表裏識別情報とカード識別情報と前記計数した前記紙葉類の計数情報とをバッチ毎に対応付けて記憶する。
【発明の効果】
【００１３】
この発明の形態によれば、紙葉類を容易に、且つ、正確に処理することができる紙葉類処理システム、紙葉類処理装置、仕切りカード、及び紙葉類処理方法を提供することができる。
【発明を実施するための最良の形態】
【００１４】
以下、図面を参照しながら、本発明の一実施形態に係る紙葉類処理システム及び紙葉類処理方法について詳細に説明する。  
図１は、一実施形態に係る紙葉類処理システムの構成例を示す図である。紙葉類処理システムは、紙幣の鑑査及び計数を行なう紙葉類処理装置１と、紙葉類処理装置による計数情報を集計して管理する集計装置２とを備えている。集計装置２は、計数情報を管理すると同時に、紙葉類処理装置１の動作を制御している。
【００１５】
紙葉類処理装置１は、紙幣などの紙葉類の他に、仕切カードとしてのバッチカードを処理する機能を有する。バッチカードには識別番号がバーコードなどにより印字されている。紙葉類処理装置１は、バッチカードを検知した場合、紙幣の計数情報とバッチカードの識別番号とを対応付けて集計装置２に送信する。紙葉類処理装置１は、鑑査する紙幣の束とバッチカードとを１バッチ分の被処理媒体として、複数バッチ分の被処理媒体を連続して処理する。
【００１６】
集計装置２は、パーソナルコンピュータなどにより構成され、紙葉類処理装置１の制御、紙葉類処理装置１に対する動作設定、あるいは紙葉類処理装置１による処理データの管理を行なう。集計装置２は、紙葉類処理装置１から受信した計数情報とバッチカードの識別番号とを対応付けてデータベース３として記憶する。  
紙葉類処理装置１と集計装置２は、ＬＡＮなどにより互いに接続されている。なお、集計装置２に複数台の紙葉類処理装置１が接続されていてもよい。
【００１７】
図２は、一実施形態に係る紙葉類処理装置１の構成例を概略的に示す図である。  
紙葉類処理装置１は、区分集積装置１Ａと施封装置１Ｂとを有している。区分集積装置１Ａは、紙幣を種類あるいは状態に応じて区分し、区分した紙幣を種類、あるいは状態ごとに集積し、その計数情報を得る集積処理を行なう。施封装置１Ｂは、集積した紙幣を所定数毎に施封する。なお、この施封装置１Ｂは、省略してもよい。
【００１８】
区分集積装置１Ａには、複数バッチ分の被処理媒体が一括して投入される。被処理媒体が投入されると、区分集積装置１Ａは、投入された被処理媒体を種類、及び状態に応じて分類する。区分集積装置１Ａは、分類した被処理媒体の内、紙幣を各集積庫（カセット）１４１−１４６あるいは施封装置１Ｂへ搬送する。
【００１９】
区分集積装置１Ａには、被処理媒体が投入される投入部４が設けられている。投入部４は、処理トレイ５、バックアッププレート６、および、取出しローラ１０を有している。処理トレイ５には、複数枚の紙幣とバッチカードとを含む被処理媒体がその上端或いは下端に当接して整位された状態で投入される。
【００２０】
図３に、本発明の一実施形態に係るバッチカードの一例を示す。また、図４に、投入部４に投入される被処理媒体の配列の一例を示す。  
図３に示すように、バッチカード４１は、紙幣と同様に矩形状の本体４２を有している。バッチカード４１の本体４２の表面及び裏面には、図３に示すように、９ケタの識別番号がバーコードとして印刷されている。本体４２の表面及び裏面に印刷されている識別番号は、カードを識別するための８ケタのカード固有のカード識別番号と、表面と裏面を識別するための１ケタの表裏識別番号とを含んでいる。即ち、本体４２の表面には、カード識別番号（１２３４５６７８）と、表面を示す表裏識別番号（０）とが印刷されている。また、本体４２の裏面には、カード識別番号（１２３４５６７８）と、裏面を示す表裏識別番号（１）とが印刷されている。
【００２１】
紙葉類処理装置１は、このバーコードを読み取ることにより、バッチカード４１の表面と裏面とを認識する。表裏識別番号は、０か１の２種類のみである。尚、バッチカード４１の本体４２の厚さは、紙幣との識別を容易にするため、紙幣と異ならせてある。バッチカード４１と紙幣は、図４に示すように配列されて区分集積装置１Ａの投入部４の処理トレイに投入される。
【００２２】
被処理媒体Ｐ１、Ｐ２、Ｐ３、Ｐ４は、それぞれ１バッチ分の被処理媒体である。被処理媒体Ｐ１、Ｐ２、Ｐ３、Ｐ４は、各々、複数の金種の紙幣を含んでいる。また、各被処理媒体Ｐ１、Ｐ２、Ｐ３、Ｐ４の後端には、バッチカード４１−１、４１−２、４１−３、４１−４がそれぞれ配列されている。
【００２３】
ここでは、被処理媒体Ｐとして４バッチ分の被処理媒体Ｐ１、Ｐ２、Ｐ３、Ｐ４が一括して投入される場合を想定する。処理トレイ５に投入される被処理媒体Ｐは、それぞれ長手方向と幅方向とを有する。被処理媒体Ｐは、その長手方向の上端、或いは下端が下を向く姿勢で処理トレイ５に投入される。
【００２４】
図２に示すように、バックアッププレート６は、処理トレイ５に対して垂直方向に立設されている。バックアッププレート６は、ばね８により処理トレイ５に沿って取出しローラ１０側（図中ａ方向）に移動するようになっている。取出しローラ１０は、１対のローラにより構成される。取出しローラ１０は、所定方向に回転することにより、処理トレイ５上にセットされた被処理媒体Ｐを順に１枚ずつ取り込む取込手段として機能する。したがって、投入部４に投入された被処理媒体Ｐは、バックアッププレート６によって、処理トレイ５に沿って矢印ａの方向に移動され、取出しローラ１０（取出し部）に押し付けられる。
【００２５】
取出しローラ１０の後段には、搬送路１２が設けられている。搬送路１２は、複数の搬送ローラ１５と搬送ベルト１４、１６により構成されている。搬送路１２では、複数の搬送ローラ１５により駆動する搬送ベルト１４、１６により被処理媒体Ｐが搬送される。搬送路１２には、取出しローラ１０により取り出された被処理媒体Ｐが順に供給される。たとえば、取出しローラ１０は、被処理媒体Ｐをその上端或いは下端を先頭にして幅方向に搬送路１２に供給する。また、取出しローラ１０により搬送路１２上に供給される被処理媒体Ｐは、表裏がばらばらの状態となっている。図２に示す構成例では、投入部４から取出される被処理媒体Ｐの取出し方向は下向きとなっている。
【００２６】
搬送路１２上に、検知部３０が設けられている。検知部３０は、種々のセンサを有し、搬送路１２を搬送される被処理媒体Ｐから種々の情報、例えば、被処理媒体Ｐの券種、表裏、天地、汚れや破損の有無等の特徴を読み取る。検知部３０は、たとえば、被処理媒体Ｐの表面の画像を読み取るイメージセンサ、被処理媒体Ｐの厚さを検知するセンサ、被処理媒体Ｐに含まれる磁性体を検知するセンサなどを備えている。検知部３０の各センサにより読み取った情報に基づいて、後述する判定部は、例えば画像、厚さ、磁気情報のような被処理媒体Ｐの特徴を判定する。
【００２７】
図２に示す区分集積装置１Ａでは、表裏および天地がばらばらの状態の複数の被処理媒体Ｐが投入部４に投入される。このため、検知部３０を通過する各被処理媒体Ｐも、表裏および天地がばらばらな状態となっている。
【００２８】
ここで、検知部３０を通過する被処理媒体Ｐの表裏および天地に関する向きは４種類ある。以下の説明では、表面が上方を向いて搬送方向前方に対して上端を向けて取出された被処理媒体Ｐを表上（ＦＦ）券と称し、表面が上方を向いて搬送方向前方に対して下端を向けて取出された被処理媒体Ｐを表下（ＦＲ）券と称し、裏面が上方を向いて搬送方向前方に対して上端を向けて取出された被処理媒体Ｐを裏上（ＢＦ）券と称し、裏面が上方を向いて搬送方向前方に対して下端を向けて取出された被処理媒体Ｐを裏下（ＢＲ）券と称する。つまり、検知部３０を通過して搬送される被処理媒体Ｐは、これら４種類の搬送姿勢のうちいずれかの姿勢で搬送されることになる。
【００２９】
検知部３０の後段に延設された搬送路１２上には、バッチカード４１を検知するカード検知手段として機能するカード検知器９０が設けられている。カード検知器９０は、例えばバーコードリーダからなり、バッチカード４１が搬送されてきた場合に、バッチカード４１に印刷されているバーコードからカード識別番号、表裏識別番号を読み取る。
【００３０】
カード検知器９０の後段に延設された搬送路１２上には、検知部３０における検知結果に基づいて被処理媒体Ｐの搬送方向を選択的に切換えるための複数のゲートＧ１乃至Ｇ９が設けられている。
【００３１】
ゲートＧ１は、被処理媒体Ｐを後段の処理が可能なものとリジェクトするものとに振り分ける。たとえば、検知部３０による検知結果に基づいた判定において、後段の処理が不可能、即ち、再使用が不可能であることが判定された被処理媒体Ｐ（排除券）は、ゲートＧ１を介してリジェクト箱３２へ搬送される。排除券としては、例えばバッチカード４１、２枚取りが判定された紙幣、所定のレベルを超えて大きくスキューしたことが判定された紙幣、或いは再流通可能な正券と判定されなかった損券や、偽券などがある。即ち、リジェクト箱３２には、図５に示すように、バッチカード４１と、各バッチカード４１の間で再使用不可であると判定された排除券である被処理媒体Ｒとが蓄積される。
【００３２】
リジェクト箱３２には、必要に応じて、被処理媒体がリジェクトされたことを検知する排除検知器を設けることもできる。リジェクト箱３２は、紙葉類処理装置１の外部からアクセスが可能となっているので、リジェクト箱３２に集積された被処理媒体Ｒは、係員が取り出すことができるようになっている。
【００３３】
一方、検知部３０において後段の処理が可能であると判定された被処理媒体Ｐ、即ち紙幣Ｐは、ゲートＧ１を介してゲートＧ２へ搬送される。ゲートＧ２は、表裏に応じて紙幣Ｐを振り分けるようになっている。ゲートＧ２の下流側の搬送路は、２方向に分岐されている。すなわち、ゲートＧ２は、表裏の状態に応じて紙幣Ｐの搬送方向を２方向に選択的に切換える。
【００３４】
ゲートＧ２の下流側で分岐された一方の搬送路上には、紙幣Ｐの表裏を反転させるための表裏反転機構３４（表裏反転部）が設けられている。また、ゲートＧ２の下流側で分岐された他方の搬送路３６は、紙幣Ｐの表裏を変化させずに、単に紙幣Ｐを通過させる搬送パスとなっている。すなわち、ゲートＧ２の後段では、紙幣Ｐの表裏を取り揃えられるようになっている。
【００３５】
表裏反転機構３４は、２組の搬送ベルト３３、３５を備えている。搬送ベルト３３および３５は、その入口から出口に向けて中心軸の回りで１８０°回転されたねじり搬送路を形成している。したがって、ゲートＧ２により表裏反転機構３４へ振り分けられた紙幣Ｐは、表裏反転される。たとえば、ＦＦ券は、表裏反転機構３４により表裏反転され、裏面を上にしたＢＦ券に反転される。
【００３６】
表裏反転機構３４を通過して表裏反転された紙幣Ｐ、および、表裏反転機構３４を通過せずに搬送路（搬送パス）３６を通過した紙幣Ｐは、いずれも合流部３８を介してゲートＧ３に送り込まれる。
【００３７】
ゲートＧ２から表裏反転機構３４を介して合流部３８に至る紙幣Ｐの処理時間（搬送時間）とゲートＧ２から搬送路３６を介して合流部３８に至る紙幣Ｐの搬送時間とが同じになるように設定されている。これにより、表裏反転機構３４を介して搬送された紙幣Ｐと搬送路３６を通過された紙幣Ｐとが同じタイミングで合流部３８を通過する。その結果、全紙幣ＰがＢＦ券に合わせられてゲートＧ３へ送られる。
【００３８】
ゲートＧ３は、合流部３８を通過した紙幣Ｐを振り分けるようになっている。ゲートＧ３の下流側の搬送路は、２方向に分岐されている。ゲートＧ３は、紙幣Ｐの種類（あるいは状態）に応じて紙幣Ｐの搬送方向を２方向に選択的に切換える。
【００３９】
ゲートＧ３の下流側で分岐された一方の搬送路は、紙幣Ｐを例えば施封装置１Ｂへ搬送するための搬送路である。また、ゲートＧ３の下流側で分岐された他方の搬送路（水平搬送路）４０は、紙幣Ｐを区分集積装置１Ａ内の各集積庫１４１乃至１４６に集積するための搬送路であり、複数の集積庫１４１乃至１４６の上方で略水平方向に延びた搬送路を形成している。水平搬送路４０上には、紙幣Ｐを６つの集積庫１４１乃至１４６のうちのいずれか１つに振り分けて集積するための５つのゲートＧ５乃至Ｇ９が設けられている。また、各集積庫１４１乃至１４６には、それぞれ図示しない紙幣Ｐの有無を検知するセンサが設けられている。
【００４０】
水平搬送路４０の最も上流側にあるゲートＧ５によって選択的に振り分けられた紙幣Ｐは集積庫１４１に集積される。ゲートＧ６によって選択的に振り分けられた紙幣Ｐは集積庫１４２に集積される。ゲートＧ７によって選択的に振り分けられた紙幣Ｐは集積庫１４３に集積される。ゲートＧ８によって選択的に振り分けられた紙幣Ｐは集積庫１４４に集積される。ゲートＧ９によって選択的に振り分けられた紙幣Ｐは集積庫１４５或いは集積庫１４６に集積される。これらの、搬送路、ゲートＧ１乃至Ｇ９、及び集積庫１４１乃至１４６により被処理媒体Ｐの集積手段が構成されている。
【００４１】
施封装置１Ｂは、区分集積装置１Ａから搬送される紙幣Ｐを集積庫（カセット）５１−５２に集積し、所定数毎に紙帯で施封する。施封装置１Ｂは、図１に示すように、集積庫５１、集積庫５２、供給部５３、施封機構５４、印刷機構５５、帯供給部５６を有している。集積庫５１、５２は、それぞれゲートＧ４を介して送り込まれた紙幣Ｐを集積する。各集積庫５１、５２には、それぞれ紙幣Ｐの蓄積枚数を検知するセンサが設けられている。
【００４２】
供給部５３は、集積庫５１あるいは５２に集積された所定枚数（たとえば１００枚）の紙幣Ｐを施封機構５４に供給する。施封機構５４は、供給部５３によって供給される集積庫５１あるいは５２に集積された所定枚数（たとえば１００枚）の紙幣Ｐを紙帯で施封する施封機構である。印刷機構５５は、施封機構５４で使用する紙帯に所望の印刷データを印刷する。帯供給部５６は、施封機構５４で使用する紙帯を供給する。
【００４３】
施封装置１Ｂには、区分集積装置１ＡのゲートＧ３により図中左方向に分岐された搬送路によって紙幣Ｐが供給される。区分集積装置１Ａから供給された紙幣Ｐは、施封装置１Ｂ内においてゲートＧ４により搬送方向が２方向に選択的に切換えられる。ゲートＧ４によって分岐搬送される紙幣Ｐは、施封装置１Ｂ内の集積庫５１あるいは集積庫５２に選択的に集積される。
【００４４】
ゲートＧ４を介していずれかの集積庫５１あるいは５２に集積された紙幣Ｐは、供給部５３によって施封機構５４へ送り込まれる。施封機構５４では、帯供給部５６から供給された紙帯によって供給部５３により供給された所定枚数の紙幣Ｐを施封する。所定枚数毎に施封された紙幣Ｐの束は、図示しないコンベアを介して装置外へ搬出される。
【００４５】
区分集積装置１Ａでは、必要に応じて特定の券種を施封装置１Ｂへ供給し得る。一方、施封装置１Ｂにて施封すべき券種以外の券種の紙幣Ｐは、区分集積装置１Ａ内の集積庫１４１乃至１４６のいずれかに集積される。
【００４６】
被処理媒体Ｐ１、Ｐ２、Ｐ３、Ｐ４の取り込みが終わり、バッチカード４１を検出してから一定時間経過後も搬送される被処理媒体Ｐがない場合、区分集積装置１Ａは、そのバッチカード４１がトレイの最後と判断し、自動で被処理媒体Ｐの取込みを停止し、集積庫に紙幣Ｐを収納して電子ロックし、集積処理を終了する。
【００４７】
また、ここで、２枚取りなどにより排除券であると判定され、リジェクト箱３２に蓄積された被処理媒体Ｐが係員により再度処理トレイ５に投入され、上記した集積処理が行なわれる。
【００４８】
次に、紙葉類処理装置１の制御系について説明する。  
図６は、図２に示す紙葉類処理装置１の制御系を示すブロック図である。  
紙葉類処理装置１の区分集積装置１Ａの制御系は、図６に示すように、例えば制御部６０、記憶部６１、取出し制御部６２、搬送制御部６３、ゲート制御部６４、判定部６５、及びカード検知器９０などを備えている。
【００４９】
カード検知器９０は、バーコードとしてバッチカード４１に印刷されたカード識別番号と表裏識別番号を検知し、この検知結果を制御部６０に送る。制御部６０は、この検知結果に基づいてバーコードに記載された情報を記憶部６１に蓄積することができる。
【００５０】
取出し制御部６２は、制御部６０の制御に基づいて取出しローラ１０の駆動を行うものである。  
搬送制御部６３は、制御部６０の制御に基づいて搬送ローラ１５の駆動を行うものである。
【００５１】
判定部６５は、判定手段として機能し、検知部３０の検知結果に基づいて、例えば紙幣Ｐなどの紙葉類の状態を判定し得る。判定部６５では、各センサにより読み取った情報と基準となる情報とを比較することにより紙幣Ｐの特徴を判定する。
【００５２】
たとえば、判定部６５は、当該紙幣Ｐの券種を判定するとともに、紙幣Ｐの表裏および天地を判定する。さらに、判定部６５は、当該紙幣Ｐが正券か損券かを判定する。正券とは、再流通が可能な券であり、損券とは、再流通が不可な券である。つまり、正券か損券かは、紙幣Ｐの状態（質）の良し悪しにより判定されるものである。判定部６５では、紙幣Ｐの汚れ、破れ、折れ、紙質、テープ貼り等の度合いによって正券か損券かを判定する。
【００５３】
ここで、制御部６０は、検知部３０により正券であると判定された紙幣Ｐを計数する。  
また、判定部６５は、偽券等を検知し、その検知結果を制御部６０に送ることができる。
【００５４】
ゲート制御部６４は、制御部６０の制御に基づいてゲートＧ１乃至Ｇ３、Ｇ５乃至Ｇ９の駆動を行うものである。例えば、バッチカード４１及び偽券等の検知結果を受けて、制御部６０がゲートＧ１を駆動することにより、バッチカード４１及び偽券等をリジェクト箱３２に排除することができる。即ち、制御部６０およびゲートＧ１は、被処理媒体を装置外部から取り出し可能な状態で排除する排除手段として機能する。
【００５５】
制御部６０は、予め設定した動作プログラムに従って区分集積装置１Ａの全体動作を制御する。記憶部６１には、制御部６０により実行される動作プログラムが記憶される。また、制御部６０は、判定部６５により判定した取り込んだ紙葉類の金種に基づいて、１バッチ毎の計数情報を得る。即ち、制御部６０は、計数手段として機能する。また、記憶部６１は、データの記憶用に用いられる。たとえば、記憶部６１には、各集積庫１４１乃至１４６、および、施封装置１Ｂの集積庫５１、５２に集積される集積枚数を計数する計数テーブルが設けられている。
【００５６】
さらに、記憶部６１は、区分集積装置１Ａの動作プログラムの実行に使用される設定情報例えば取出し制御部６２における取出しトルクの設定値、判定部にて各検知器の検知結果の判定に使用される基準値、搬送制御部６３における搬送センサレベル、適正な搬送方向に対する被処理媒体Ｐの角度のずれの許容限度となる整位角、ゲート制御部６４における集積庫の選択及び集積される券種の設定等の情報が各々複数種ずつ記憶される。
【００５７】
また、制御部６０は、バッチカード４１の検知情報を受けて一定時間経過後も搬送される被処理媒体Ｐがない場合、そのバッチカード４１がトレイの最後と判断し、取り出し制御部６２に取込みの停止を指示することができる。取込みの停止の指示を受けて、取り出し制御部６２は、取り出しローラ１０の駆動をＯＦＦすることができる。
【００５８】
被処理媒体Ｐが投入部４に投入された場合、区分集積装置１Ａは、投入された被処理媒体Ｐを集積すると同時に、投入された被処理媒体Ｐのうちの紙幣を計数し、計数情報を集計装置２に送信する。例えば、図４に示すような被処理媒体Ｐが図中の矢印ａの方向で投入された場合、区分集積装置１Ａは、まず、検知部３０により被処理媒体Ｐ１を検知し、被処理媒体Ｐ１の中に含まれている紙幣の合計金額である計数情報を得る。区分集積装置１Ａは、カード検知器９０によりバッチカード４１−１からカード識別番号と表裏識別番号とを検知したタイミングＴ１において、被処理媒体Ｐ１の計数情報をバッチカード４１−１のカード識別番号と表裏識別番号とに対応付けて、集計装置２に送信する。
【００５９】
次に、区分集積装置１Ａは、被処理媒体Ｐ２を検知し、被処理媒体Ｐ２の計数情報を得る。区分集積装置１Ａは、バッチカード４１−２からカード識別番号と表裏識別番号とを検知したタイミングＴ２において、被処理媒体Ｐ１と被処理媒体Ｐ２の計数情報をバッチカード４１−１のカード識別番号と表裏識別番号とそれぞれに対応付けて、集計装置２に送信する。即ち、バッチカード４１−１から読み取った表裏識別番号と被処理媒体Ｐ１の計数情報とを対応付け、読み取った表裏識別番号と逆の表裏識別番号と被処理媒体Ｐ２の計数情報とを対応付ける。
【００６０】
次に、区分集積装置１Ａは、被処理媒体Ｐ３を検知し、被処理媒体Ｐ３の計数情報を得る。区分集積装置１Ａは、バッチカード４１−３からカード識別番号と表裏識別番号とを検知したタイミングＴ３において、被処理媒体Ｐ２と被処理媒体Ｐ３の計数情報をバッチカード４１−２のカード識別番号と表裏識別番号とそれぞれに対応付けて、集計装置２に送信する。
【００６１】
次に、区分集積装置１Ａは、被処理媒体Ｐ４を検知し、被処理媒体Ｐ４の計数情報を得る。区分集積装置１Ａの制御部６０は、バッチカード４１−４からカード識別番号と表裏識別番号とを検知したタイミングＴ４において、被処理媒体Ｐ３と被処理媒体Ｐ４の計数情報をバッチカード４１−３のカード識別番号と表裏識別番号とそれぞれに対応付けて、集計装置２に送信する。即ち、制御部６０は、集計装置にデータを送信する送信手段を備えている。
【００６２】
区分集積装置１Ａは、最後にバッチカード４１を検知してから一定時間経過後（タイミングＴ５）、被処理媒体Ｐを検知しなかった場合、最後に検知したバッチカード４１が処理トレイで最後の被処理媒体であると判定し、被処理媒体Ｐ４とバッチカード４１−４以降に検知した被処理媒体Ｐの計数情報をバッチカード４１−４のカード識別番号と表裏識別番号とにそれぞれ対応付けて、集計装置２に送信し、処理を終了する。
【００６３】
図７は、初回鑑査の際、集計装置２に送信された被処理媒体Ｐの計数情報の例を示す図である。バッチカード４１を検知したタイミングＴ１乃至Ｔ５が、データ送信タイミングＴ１乃至Ｔ５と対応している。
【００６４】
また、初回鑑査で、図５に示すような排除券Ｒが蓄積された場合、係員は、排除券Ｒを再度区分集積装置１Ａの投入部４に投入し、再鑑査を実行させる。例えば、区分集積装置１Ａは、排除券である被処理媒体Ｒが図５中の矢印ａの向きで投入された場合、図４の例と同様に、被処理媒体Ｒ１乃至Ｒ４を順に検知していき、各タイミングでバッチカード４１のカード識別番号、表裏識別番号、及びバッチカード４１の表側と裏側の被処理媒体Ｒの計数情報とを対応付けて、図８に示すようなデータを集計装置２に送信する。
【００６５】
また、再鑑査の際、被処理媒体Ｒ１乃至Ｒ４が図５中の矢印ｂの向きで再度区分集積装置１Ａの投入部４に投入された場合、区分集積装置１Ａは、最初にバッチカード４１−４からカード識別番号と表裏識別番号とを検知したタイミングＴ４において、それ以前に検知した被処理媒体Ｒの計数情報をバッチカード４１−４のカード識別番号と表裏識別番号とに対応付けて、集計装置２に送信する。
【００６６】
以降、図４の例と同様に、被処理媒体Ｒを被処理媒体Ｒ４、Ｒ３、Ｒ２、Ｒ１の順に検知していき、タイミングＴ４、Ｔ３、Ｔ２、Ｔ１、Ｔ６のそれぞれのタイミングにおいて、バッチカード４１のカード識別番号、表裏識別番号、及びバッチカード４１の表側と裏側-の被処理媒体Ｒの計数情報とを対応付けて、図９に示すようなデータを集計装置２に送信する。
【００６７】
紙葉類処理装置１の施封装置１Ｂの制御系は、制御部７０、記憶部７１、搬送制御部７２、ゲート制御部７３、移動機構７４、施封機構５４、印刷機構５５などを備えている。  
制御部７０は、予め設定した動作プログラムに従って施封装置１Ｂの全体動作を制御する。記憶部７１には、制御部７０により実行される動作プログラムが記憶される。また、記憶部７１には、施封装置１Ｂの動作プログラムを実行するための設定情報例えば施封装置の台数、施封に用いられる紙帯の印刷パターン等の情報が各々複数種ずつ記憶される。
【００６８】
搬送制御部７２は、制御部７０の制御に基づいて搬送ローラを駆動するものである。ゲート制御部７３は、制御部７０の制御に基づいてゲートＧ４の駆動を行うものである。移動機構７４は、制御部７０の制御に基づいて集積庫５１あるいは５２に集積された所定枚数の紙幣Ｐを移動（搬送）するものである。
【００６９】
集計装置２の制御系は、制御部８０、記憶部８１、表示部８２、操作部８３などを備えている。  
制御部８０は、予め設定した動作プログラムに従って、集計装置２全体の制御を司るものである。たとえば、制御部８０は、係員からの操作指示に基づいて区分集積装置１Ａに対する各種の動作設定などを行う機能を有する。記憶部８１には、制御部８０により実行される動作プログラムが記憶される。また、記憶部８１には、集計装置２の動作プログラムを実行するための設定情報例えば使用する国、あるいは操作画面言語等の情報が各々複数種ずつ記憶される。
【００７０】
表示部８２は、制御部８０の表示制御に基づいて係員に対する操作案内などを表示するものである。操作部８３は、係員が操作指示を入力するものである。表示部８２は、ディスプレイ装置などを備えている。操作部８３は、キーボードあるいはマウスなどの入力装置などを備えている。表示部８２と操作部８３とは、たとえば、タッチパネル内蔵のディスプレイ装置により構成されるようにしても良い。さらに、表示部８２と操作部８３とは、タッチパネル内蔵のディスプレイ装置とキーボード等の入力装置とを設けた構成としても良い。
【００７１】
制御部８０は、紙葉類処理装置１からデータを受信する受信手段を備えている。制御部８０は、紙葉類処理装置１からデータを受信した際、受信した表裏識別番号とカード識別番号と集積した紙幣Ｐの計数情報とを記憶手段としての記憶部８１に追記記憶し、図１０に示すようなデータベース３を作成する。この際、データを送信した紙葉類処理装置１の処理号機の情報も対応付けて記憶する。
【００７２】
また、制御部８０は、既にデータベース３に登録されているカード識別番号を含むデータを受信した場合、受信したデータは再鑑査の際のデータであると判定し、初回鑑査／再鑑査の情報を再鑑査を示す１とする。受信したデータが含んでいるカード識別番号がデータベース３に登録されていない場合、制御部８０は、受信したデータは初回鑑査の際のデータであると判定し、初回鑑査／再鑑査の情報を初回監査を示す０とする。
【００７３】
制御部８０は、図１０に示すように、データベース３に登録されているデータの中で、同一のカード識別番号を含むデータが複数存在する場合、計数情報をカード識別番号毎に集計する集計処理を行なう。即ち、制御部８０は、まず初回鑑査の際のデータを参照し、バッチカード４１の表側の計数情報と裏側の計数情報のどちらを集計処理に採用するかを、同データ内の表裏識別番号に基づいて判定する。
【００７４】
ここでは、制御部８０は、通常、カード検知器９０により読み取った側に配列されていた被処理媒体のうちの紙幣Ｐの計数情報を集計処理に採用すると判定する。次いで、制御部８０は、再鑑査の際のデータを参照し、初回鑑査の際のデータにおいて、集計処理に採用したのと同じ側の計数情報を集計処理に採用すると判定する。制御部８０は、採用すると判定した初回鑑査の際の計数情報と再鑑査の際の計数情報とを集計し、集計した計数情報をカード識別番号に対応付ける。即ち制御部８０は、集計手段として機能する。図中でハッチングがかかったマスは、集計処理に採用すると判定した計数情報のマスであることを示している。
【００７５】
また、制御部８０は、バッチカード４１のカード識別番号毎ではなく、予め設定したアカウント番号毎に集計処理を行なうようにしてもよい。即ち、予め、アカウント番号に複数のバッチカード４１のカード識別番号を対応付けておき、カード識別番号毎に集計処理を行なった後、同じアカウント番号が対応付けられているデータ同士で計数情報を集計し、集計した計数情報をアカウント番号に対応付けるようにしてもよい。
【００７６】
次に、紙葉類処理装置１の動作について説明する。
【００７７】
図１１は、図２、及び図６に示す紙葉類処理装置１の紙葉類の処理方法の一例を説明するためのフローチャートである。  
紙葉類処理装置１を動作させる前に、係員は、図４に示すような被処理媒体Ｐを処理トレイ５に１組の処理単位として配置し、投入部４に投入する。
【００７８】
紙葉類処理装置１は、投入部４から被処理媒体Ｐを取出しローラ１０により個々に取り込み（ステップＳ１１）、被処理媒体Ｐを搬送路１２へ導入する。  
紙葉類処理装置１は、検知部３０により、被処理媒体Ｐの特徴を検知する（ステップＳ１２）。ここでは、検知部３０は、被処理媒体Ｐの両面を撮像する、被処理媒体Ｐの厚さを検知する、などして、被処理媒体Ｐの券種、表裏、天地、汚れや破損の度合等の特徴を検知する。  
紙葉類処理装置１の制御部６０は、検知部３０により検知した検知結果に基づいて、検知した被処理媒体Ｐが紙幣であり、且つ、再使用が可能であるか否かを判定する（ステップＳ１３）。
【００７９】
ステップＳ１３において、検知した被処理媒体Ｐは再使用が可能な紙幣であると判定した場合（ステップＳ１３、ＹＥＳ）、制御部６０は、搬送制御部６３及びゲート制御部６４により搬送ローラ１５及び各ゲートＧ１−Ｇ９を制御し、紙幣Ｐを金種ごとに対応する集積庫１４１−１４６のいずれかへ搬送し（ステップＳ１４）、次に取り込んだ被処理媒体Ｐの処理に移行する。
【００８０】
また、ステップＳ１３において、検知した被処理媒体Ｐが紙幣ではない、若しくは、紙幣であるが再使用が不可能な紙幣であると判定した場合（ステップＳ１３、ＮＯ）、制御部６０は、カード検知器９０により被処理媒体Ｐの表面のバーコードを読み取る（ステップＳ１５）。続いて、制御部６０は、搬送制御部６３及びゲート制御部６４により搬送ローラ１５及びゲートＧ１を制御し、被処理媒体Ｐをリジェクト箱３２へ搬送する（ステップＳ１６）。
【００８１】
また、制御部６０は、カード検知器９０により読み取った内容に基づいて、被処理媒体Ｐがバッチカード４１であるか否かを判定する（ステップＳ１７）。即ち、制御部６０は、カード検知器９０により被処理媒体Ｐからカード識別番号及び表裏識別番号を読み取ることができた場合、被処理媒体Ｐはバッチカード４１であると判定する。
【００８２】
ステップＳ１７において、被処理媒体Ｐはバッチカード４１ではないと判定した場合（ステップＳ１７、ＮＯ）、制御部６０は、被処理媒体Ｐは排除券であると判定し、次に取り込んだ被処理媒体Ｐの処理に移行する。
【００８３】
ステップＳ１７において、被処理媒体Ｐはバッチカード４１であると判定した場合（ステップＳ１７、ＹＥＳ）、制御部６０は、読み取ったカード識別番号、表裏識別番号、及び、集積した紙幣Ｐの計数情報とを対応付けて集計装置２へ送信する（ステップＳ１８）。ここでは、制御部６０は、図６で説明したように、カード識別番号と、表裏識別番号と、バッチカード４１の前後の紙幣Ｐの計数情報とをそれぞれ対応付ける。
【００８４】
制御部６０は、後続の被処理媒体Ｐが処理トレイ５内に残っているか否かを判定する（ステップＳ１９）。即ち、制御部６０は、最後にバッチカード４１を検知してから一定時間経過しても被処理媒体Ｐを検知しなかった場合、最後に検知したバッチカード４１が処理トレイ５内で最後の被処理媒体Ｐであると判定する。
【００８５】
後続の被処理媒体Ｐが処理トレイ５内に残っていないと判定した場合（ステップＳ１９、ＮＯ）、制御部６０は、最後に読み取ったバッチカード４１のカード識別番号、表裏識別番号、及び、バッチカード４１以降に集積した紙幣Ｐの計数情報とを対応付けて集計装置２へ送信し（ステップＳ２０）、処理を終了する。
【００８６】
次に、集計装置２の動作について説明する。
【００８７】
図１２は、図２、及び図６に示す集計装置２のデータを受信した際の動作の一例を説明するためのフローチャートである。  
集計装置２の制御部８０は、紙葉類処理装置１からデータを受信すると（ステップＳ２１）、受信したデータのカード識別番号と同一のカード識別番号を含むデータがデータベース３に既に登録されているか否かを判定する（ステップＳ２２）。登録されていないと判定した場合（ステップＳ２２、ＮＯ）、制御部８０は、受信したデータは初回鑑査の際のデータであると判定し（ステップＳ２３）、初回鑑査／再鑑査の情報を０として、受信したデータをデータベース３に登録する（ステップＳ２４）。
【００８８】
また、ステップＳ２２において、登録されていると判定した場合（ステップＳ２２、ＹＥＳ）、制御部８０は、受信したデータは再鑑査の際のデータであると判定し（ステップＳ２５）、初回鑑査／再鑑査の情報を１として、受信したデータをデータベース３に登録する（ステップＳ２６）。
【００８９】
図１３は、図２、及び図６に示す集計装置２の集計処理の際の動作の一例を説明するためのフローチャートである。  
係員により、集計装置２の操作部８３に集計処理を実行するための操作が入力されると（ステップＳ３１）、制御部８０は、操作入力に従って、指示されたカード識別番号を含むデータを選択する（ステップＳ３２）。制御部８０は、選択したデータが２つ以上であるか否かを判定する（ステップＳ３３）。
【００９０】
選択したデータが２つ以上ではなく１つであると判定した場合（ステップＳ３３、ＮＯ）、制御部８０は、選択したデータのバッチカード４１の表側の計数情報と裏側の計数情報のどちらを集計処理に採用するかを、同データ内の表裏識別番号に基づいて決定する（ステップＳ３４）。ここでは、制御部８０は、通常、カード検知器９０により読み取った側に配列されていた被処理媒体Ｐのうちの紙幣Ｐの計数情報を集計処理に採用する。
【００９１】
ステップＳ３３において、選択したデータが２つ以上あると判定した場合（ステップＳ３３、ＹＥＳ）、制御部８０は、まず、選択したデータのうち初回鑑査の際のデータを参照し、バッチカード４１の表側の計数情報と裏側の計数情報のどちらを集計処理に採用するかを、同データ内の表裏識別番号に基づいて決定する（ステップＳ３５）。
【００９２】
制御部８０は、次に、再鑑査の際のデータを参照し、初回鑑査のデータにおいて集計処理に採用したのと同じ側の計数情報を集計処理に採用すると決定する（ステップＳ３６）。
【００９３】
次いで、制御部８０は、採用すると決定した複数の計数情報を加算して集計する（ステップＳ３７）。制御部８０は、加算した計数情報を指示されたカード識別番号に対応する計数情報として確定して新たに登録し、選択した元のデータを削除する更新処理を行ない（ステップＳ３８）、処理を終了する。
【００９４】
以上のように構成された紙葉類処理システムによれば、紙葉類処理装置１は、バッチカード４１の前後の紙幣Ｐの計数情報をバッチカード４１の識別番号及び表裏識別番号にそれぞれ対応付けて集計装置２に送信する。集計装置２は、初回鑑査の際のデータと再鑑査の際のデータとで識別できるように受信したデータをデータベースに登録する。
【００９５】
初回鑑査の際のデータと再鑑査の際のデータの集計処理の際、集計装置２は、まず初回鑑査の際のデータを参照して、バッチカード４１の前後のどちら側の計数情報をバッチカード４１と対応付けるかを表裏識別番号に基づいて決定する。つぎに、集計装置２は、再鑑査の際のデータを参照して、初回鑑査でバッチカード４１と対応付けた側と同じ側の計数情報をバッチカード４１に対応付ける。集計装置２は、バッチカード４１に対応付けた初回鑑査の際の計数情報と再鑑査の際の計数情報とを集計し、１バッチ分の計数情報を得る。
【００９６】
これにより、被処理媒体を複数回鑑査し、２回目以降の被処理媒体の投入向きが初回の投入向きと逆の場合であっても、初回と同じバッチカードに正確に計数情報を対応付けることができる。上記構成により、紙葉類を容易に、且つ、正確に処理することができる紙葉類処理システム、紙葉類処理装置、仕切りカード、及び紙葉類処理方法を提供することができる。紙葉類処理装置
なお、この発明は、上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００９７】
【図１】図１は、一実施形態に係る紙葉類処理システムの構成例を示す図である。
【図２】図２は、図１に示す紙葉類処理装置の構成例を概略的に示す図である。
【図３】図３は、一実施形態に係るバッチカードの一例を示す説明図である。
【図４】図４は、初回鑑査の際に紙葉類処理装置に投入する被処理媒体の配列の一例を示す図である。
【図５】図５は、再鑑査の際に紙葉類処理装置に投入する被処理媒体の配列の一例を示す図である。
【図６】図６は、図２に示す紙葉類処理装置の制御系を示すブロック図である。
【図７】図７は、初回鑑査の際に集計装置に送信された被処理媒体の計数情報の例を示す図である。
【図８】図８は、再鑑査の際に集計装置に送信された被処理媒体の計数情報の例を示す図である。
【図９】図９は、再鑑査の際に集計装置に送信された被処理媒体の計数情報の例を示す図である。
【図１０】図１０は、データベースとして集計装置に記憶される計数情報の例を示す図である。
【図１１】図１１は、図２、及び図６に示す紙葉類処理装置の紙葉類の処理方法の一例を説明するためのフローチャートである。
【図１２】図１２は、図２、及び図６に示す集計装置のデータを受信した際の動作の一例を説明するためのフローチャートである。
【図１３】図１３は、図２、及び図６に示す集計装置の集計処理の際の動作の一例を説明するためのフローチャートである。
【符号の説明】
【００９８】
１…紙葉類処理装置、１Ａ…区分集積装置、２…集計装置、３…データベース、４…投入部、５…処理トレイ、１０…ローラ、１２…搬送路、１５…搬送ローラ、３０…検知部、３２…リジェクト箱、４１…バッチカード、４２…本体、５３…供給部、６０…制御部、７０…制御部、８０…制御部、９０…カード検知器、１４１乃至１４６…集積庫。
【図１】
2008250955.tif 000003
【図２】
2008250955.tif 000004
【図３】
2008250955.tif 000005
【図４】
2008250955.tif 000006
【図５】
2008250955.tif 000007
【図６】
2008250955.tif 000008
【図７】
2008250955.tif 000009
【図８】
2008250955.tif 000010
【図９】
2008250955.tif 000011
【図１０】
2008250955.tif 000012
【図１１】
2008250955.tif 000013
【図１２】
2008250955.tif 000014
【図１３】
2008250955.tif 000015